(57)【要約】【課題】着用時にベルト部材が本体部から離脱し難い低体重児用のおむつを提供する。【解決手段】少なくとも吸収性コア（２１ａ）を備えた吸収体（２１）と、吸収体（２１）よりも非肌側に配された外装シート（２４）と、ベルト部材（３０）と、を有する低体重児用おむつ（１）であって、ベルト部材（３０）は、ベルト部材（３０）の長手方向の一方側及び他方側に係止部材（３１Ａ，３１Ｂ）を備えており、一方側の係止部材（３１Ａ）によって、ベルト部材（３０）が、長手方向における外装シート（２４）の外側端（２４ｌｅｏ）よりも内側、かつ、厚さ方向における外装シート（２４）の非肌側に係止された状態において、長手方向において、吸収性コア（２１ａ）の外側端（２１ｌｅｏ）は、外装シート（２４）の外側端（２４ｌｅｏ）と一方側の係止部材（３１Ａ）の外側端（３１Ａｌｅｏ）との中間よりも内側に位置している。【選択図】図６
2019150114.tif 000002
【特許請求の範囲】
【請求項１】
互いに交差する長手方向と幅方向と厚さ方向とを有し、
少なくとも吸収性コアを備えた吸収体と、
前記吸収体よりも非肌側に配された外装シートと、
一対のベルト部材と、
を有する低体重児用おむつであって、
前記ベルト部材は、当該ベルト部材の長手方向の一方側及び他方側に係止部材を備えており、
前記一方側の前記係止部材によって、前記ベルト部材が、前記長手方向における前記外装シートの外側端よりも内側、かつ、前記厚さ方向における前記外装シートの非肌側に係止された状態において、
前記長手方向において、
前記吸収性コアの外側端は、
前記外装シートの前記外側端と前記一方側の前記係止部材の外側端との中間よりも内側に位置している、
ことを特徴とする低体重児用おむつ。
【請求項２】
請求項１に記載の低体重児用おむつであって、
前記吸収体は、前記吸収性コアを覆うコアラップシートを有し、
前記長手方向において、前記コアラップシートの外側端は、前記外装シートの前記外側端と前記一方側の前記係止部材の前記外側端との中間よりも内側に位置している、ことを特徴とする低体重児用おむつ。
【請求項３】
請求項１または２に記載の低体重児用おむつであって、
前記長手方向において、前記外装シートの前記外側端と前記一方側の前記係止部材の前記外側端との中間位置と、前記一方側の前記係止部材の前記外側端との間に、
前記吸収性コアの外側端が位置している、ことを特徴とする低体重児用おむつ。
【請求項４】
請求項１または２に記載の低体重児用おむつであって、
前記長手方向において、前記一方側の前記係止部材の前記外側端よりも内側に、
前記吸収性コアの外側端が位置している、ことを特徴とする低体重児用おむつ。
【請求項５】
請求項１〜４のいずれか１項に記載の低体重児用おむつであって、
前記長手方向に伸縮可能な脚回り弾性部材を有し、
前記長手方向において、前記脚回り弾性部材が伸縮性を発現している領域と、前記一方側の前記係止部材とが重複していない、ことを特徴とする低体重児用おむつ。
【請求項６】
請求項１〜５のいずれか１項に記載の低体重児用おむつであって、
前記幅方向において、前記吸収体の外側端と、前記一方側の前記係止部材とが重複していない、ことを特徴とする低体重児用おむつ。
【請求項７】
請求項６に記載の低体重児用おむつであって、
前記幅方向において、前記一方側の前記係止部材の内側端は、前記吸収体の外側端よりも外側に位置している、ことを特徴とする低体重児用おむつ。
【請求項８】
請求項１〜７のいずれか１項に記載の低体重児用おむつであって、
前記ベルト部材の厚さと前記一方側の前記係止部材の厚さとの合計は、
前記吸収体の厚さよりも薄い、ことを特徴とする低体重児用おむつ。
【請求項９】
請求項１〜８のいずれか１項に記載の低体重児用おむつであって、
前記長手方向に伸縮可能な脚回り弾性部材を有し、
前記幅方向において、
最も外側に配置されている前記脚回り弾性部材と、前記外装シートの前記外側端との間の距離は、
前記一方側の前記係止部材の幅よりも狭く、
前記幅方向において、前記一方側の前記係止部材の内側端が、最も外側に配置されている前記脚回り弾性部材よりも内側にある、ことを特徴とする低体重児用おむつ。
【請求項１０】
請求項１〜９のいずれか１項に記載の低体重児用おむつであって、
前記吸収体の前記幅方向両側に一対の防漏壁を備え、
前記防漏壁は、前記長手方向に伸縮可能なＬＳＧ弾性部材を有しており、
低体重児用おむつを展開かつ伸長させた状態において、
前記一方側の前記係止部材は、前記ＬＳＧ弾性部材よりも幅方向の外側にある、ことを特徴とする低体重児用おむつ。
【発明の詳細な説明】
【技術分野】
【０００１】
本発明は、低体重児用おむつに関する。
【背景技術】
【０００２】
従来、オープンタイプの使い捨ておむつが広く用いられている。オープンタイプの使い捨ておむつでは、おむつ本体（例えば吸収性本体）の左右に設けられたベルト部材（例えばファスニングテープやストラップ）の両端部を、おむつ本体の腹側と背側とにそれぞれ係止させることで、おむつの着用を行う。特許文献１には、背側と腹側のどちら側にも着脱できるファスナー（係止部材）が設けられたストラップ（ベルト部材）を有する使い捨て吸収性衣類（おむつ）が開示されている。
【先行技術文献】
【特許文献】
【０００３】
【特許文献１】特開Ｈ６−２１８００９号公報
【発明の概要】
【発明が解決しようとする課題】
【０００４】
特許文献１の使い捨ておむつによれば、腹側及び背側においてベルト部材が着脱可能であるため、おむつの着脱動作が容易になる。例えば、親が乳幼児におむつを着脱させる際に、乳幼児が俯せの姿勢で寝ている場合でも仰向けの姿勢で寝ている場合でも、腹側及び背側のどちらからでも簡単に着脱動作を行うことができる。
しかしながら、おむつを着用させる動作において、ベルト部材に設けられた係止部材の一部がおむつ本体から剥がれると、当該剥がれた係止部材が、乳幼児の衣類や乳幼児が寝ているマット等に引っかかって互いに係合してしまい、そのままおむつ本体からベルト部材が完全に離脱してしまうおそれがある。特に、おむつの着用対象者が低体重児である場合、おむつ着用動作時の負担を低減するために身体をなるべく動かさないようにする必要があるところ、おむつ本体からベルト部材が簡単に離脱してしまうと、おむつを着用させることが困難になる。
本発明は、上記のような問題に鑑みてなされたものであって、その目的とするところは、着用時にベルト部材が本体部から離脱し難い低体重児用のおむつを提供することにある。
【課題を解決するための手段】
【０００５】
上記目的を達成するための主たる発明は、
互いに交差する長手方向と幅方向と厚さ方向とを有し、少なくとも吸収性コアを備えた吸収体と、前記吸収体よりも非肌側に配された外装シートと、一対のベルト部材と、を有する低体重児用おむつであって、前記ベルト部材は、当該ベルト部材の長手方向の一方側及び他方側に係止部材を備えており、前記一方側の前記係止部材によって、前記ベルト部材が、前記長手方向における前記外装シートの外側端よりも内側、かつ、前記厚さ方向における前記外装シートの非肌側に係止された状態において、前記長手方向において、前記吸収性コアの外側端は、前記外装シートの前記外側端と前記一方側の前記係止部材の外側端との中間よりも内側に位置している、ことを特徴とする低体重児用おむつである。
【０００６】
本発明の他の特徴については、本明細書及び添付図面の記載により明らかにする。
【発明の効果】
【０００７】
本発明によれば、着用時にベルト部材が本体部から離脱し難い低体重児用のおむつを提供することができる。
【図面の簡単な説明】
【０００８】
【図１】おむつ１を展開かつ伸長させた状態について表す平面図である。
【図２】図２Ａは、おむつ１の後部７の概略断面について表した分解説明図である。図２Ｂは、おむつ１の股下部５の概略断面について表した分解説明図である。
【図３】図３Ａ及び図３Ｂは、おむつ１の着用状態について示す図である。
【図４】図４Ａ及び図４Ｂは、比較例のおむつ１００を、低体重児に着用させる動作について説明する図である。
【図５】おむつ１を、低体重児に着用させる動作について説明する図である。
【図６】おむつ１の後部７におけるベルト部材３０の配置について説明する平面図である。
【図７】バックシート２４の長手方向外側端部が折れ曲がった状態について説明する図である。
【図８】従来の使い捨ておむつにおいて、ベルト部材３０の係止位置が不適当である場合に、バックシート２４の長手方向外側端部が折れ曲がった状態について説明する図である。
【図９】長手方向において、係止部材３１Ａの外側端３１Ａｌｅｏが、吸収体２１の外側端２１ｌｅоよりも外側にある場合のバックシート２４の折れ曲がり状態について説明する図である。
【図１０】吸収体２１がコアラップシート２１ｂを有している場合のバックシート２４の折れ曲がり状態について説明する図である。
【図１１】おむつ１の各部の厚さについて説明する概略断面図である。
【図１２】展開かつ伸長させた状態のおむつ２について表す平面図である。
【図１３】おむつ２の後部７の分解説明図である。
【発明を実施するための形態】
【０００９】
本明細書及び添付図面の記載により、少なくとも以下の事項が明らかとなる。
互いに交差する長手方向と幅方向と厚さ方向とを有し、少なくとも吸収性コアを備えた吸収体と、前記吸収体よりも非肌側に配された外装シートと、一対のベルト部材と、を有する低体重児用おむつであって、前記ベルト部材は、当該ベルト部材の長手方向の一方側及び他方側に係止部材を備えており、前記一方側の前記係止部材によって、前記ベルト部材が、前記長手方向における前記外装シートの外側端よりも内側、かつ、前記厚さ方向における前記外装シートの非肌側に係止された状態において、前記長手方向において、前記吸収性コアの外側端は、前記外装シートの前記外側端と前記一方側の前記係止部材の外側端との中間よりも内側に位置している、ことを特徴とする低体重児用おむつ。
【００１０】
このような低体重児用おむつによれば、低体重児に着用させる動作時に、おむつの長手方向の所定位置で折れ曲がった外装シートが、一方側係止部材（内側係止部材）の外側端を非肌側から覆うようになり、該係止部材がバックシート（本体部）から剥がれ難くなる。これにより、おむつ着用時にベルト部材が本体部から離脱してしまうことが抑制される。
【００１１】
かかる低体重児用おむつであって、前記吸収体は、前記吸収性コアを覆うコアラップシートを有し、前記長手方向において、前記コアラップシートの外側端は、前記外装シートの前記外側端と前記一方側の前記係止部材の前記外側端との中間よりも内側に位置している、ことが望ましい。
【００１２】
このような低体重児用おむつによれば、低体重児に着用させる動作時に、外装シートがコアラップシートの外側端にて折れ曲がる場合であっても、一方側係止部材（内側係止部材）の長手方向外側端が非肌側から覆われるようになり、該係止部材がバックシート（本体部）から剥がれ難くなる。これにより、おむつ着用時にベルト部材が本体部から離脱してしまうことが抑制される。
【００１３】
かかる低体重児用おむつであって、前記長手方向において、前記外装シートの前記外側端と前記一方側の前記係止部材の前記外側端との中間位置と、前記一方側の前記係止部材の前記外側端との間に、前記吸収性コアの外側端が位置している、ことが望ましい。
【００１４】
このような低体重児用おむつによれば、低体重児に着用させる動作時に、外装シートが吸収体性コア（もしくはコアラップシート）の長手方向の外側端にて折れ曲がりやすくなる。外装シートの折れ曲がり位置を調整することが可能であるため、一方側係止部材（内側係止部材）の長手方向の外側端がより覆われやすくなる。したがって、おむつ着用時にベルト部材が本体部から離脱してしまうことを抑制しやすくなる。
【００１５】
かかる低体重児用おむつであって、前記長手方向において、前記一方側の前記係止部材の前記外側端よりも内側に、前記吸収性コアの外側端が位置している、ことが望ましい。
【００１６】
このような低体重児用おむつによれば、外装シートが一方側係止部材（内側係止部材）の長手方向の外側端にて折れ曲がりやすくなる。外装シートの折れ曲がり位置を調整することが可能であるため、一方側係止部材（内側係止部材）の長手方向の外側端がより覆われやすくなる。したがって、おむつ着用時にベルト部材が本体部から離脱してしまうことを抑制しやすくなる。
【００１７】
かかる低体重児用おむつであって、前記長手方向に伸縮可能な脚回り弾性部材を有し、前記長手方向において、前記脚回り弾性部材が伸縮性を発現している領域と、前記一方側の前記係止部材とが重複していない、ことが望ましい。
【００１８】
このような低体重児用おむつによれば、一方側係止部材（内側係止部材）が係止されている領域では、脚回り弾性部材による収縮力が外装シートに作用し難く、当該領域において外装シートが撓んだり皺が生じたりすることが抑制される。したがって、一方側係止部材が外装シートにしっかりと係止され、ベルト部材が本体部から離脱することをより抑制しやすくなる。
【００１９】
かかる低体重児用おむつであって、前記幅方向において、前記吸収体の外側端と、前記一方側の前記係止部材とが重複していない、ことが望ましい。
【００２０】
このような低体重児用おむつによれば、一方側係止部材（内側係止部材）の係止位置が、吸収体の幅方向外側端で段差が大きくなっている部分を跨がないため、当該段差の部分で係止が剥がれやすくなることを抑制することができる。これにより、ベルト部材が本体部から離脱することをより抑制しやすくなる。
【００２１】
かかる低体重児用おむつであって、前記幅方向において、前記一方側の前記係止部材の内側端は、前記吸収体の外側端よりも外側に位置している、ことが望ましい。
【００２２】
このような低体重児用おむつによれば、一方側係止部材（内側係止部材）と吸収体とが重複しないため、おむつ着用動作時に低体重児の身体とマットとの間におむつを敷きこむ際に、剛性の高い吸収体によって、一方側係止部材がマットに押し付けられてしまうことが抑制される。したがって、一方側係止部材が外装シートから剥がれてしまうことを抑制しやすくなる。
【００２３】
かかる低体重児用おむつであって、前記ベルト部材の厚さと前記一方側の前記係止部材の厚さとの合計は、前記吸収体の厚さよりも薄い、ことが望ましい。
【００２４】
このような低体重児用おむつによれば、着用動作時において、吸収体の厚みに基づいて低体重児の身体とマットとの間に隙間が形成され、その隙間にベルト部材及び一方側係止部材が収まりやすくなる。したがって、ベルト部材とマットとの間に摩擦が生じ難くなり、一方側係止部材（ベルト部材）が外装シートから剥がれてしまうことを抑制しやすくなる。
【００２５】
かかる低体重児用おむつであって、前記長手方向に伸縮可能な脚回り弾性部材を有し、前記幅方向において、最も外側に配置されている前記脚回り弾性部材と、前記外装シートの前記外側端との間の距離は、前記一方側の前記係止部材の幅よりも狭く、前記幅方向において、前記一方側の前記係止部材の内側端部が、最も外側に配置されている前記脚回り弾性部材よりも内側にある、ことが望ましい。
【００２６】
このような低体重児用おむつによれば、一方側係止部材（内側係止部材）が、外装シートの幅方向外側端からはみ出しにくくなる。これにより、内側係止部材が低体重児の肌と接触しにくくなり、低体重児に不快感を与えることを抑制することができる。
【００２７】
かかる低体重児用おむつであって、前記吸収体の前記幅方向両側に一対の防漏壁を備え、前記防漏壁は、前記長手方向に伸縮可能なＬＳＧ弾性部材を有しており、低体重児用おむつを展開かつ伸長させた状態において、前記一方側の前記係止部材は、前記ＬＳＧ弾性部材よりも幅方向の外側にある、ことが望ましい。
【００２８】
このような低体重児用おむつによれば、一方側係止部材（内側係止部材）の係止位置が幅方向の内側に寄りすぎることが抑制される。これにより、おむつを低体重児に着用させる際に、ベルト部材の長手方向の長さが足りなくなって他方側の係止部材（外側係止部材）が外装シートに係止できなくなる等の問題が生じにくくなる。
【００２９】
＝＝＝実施形態＝＝＝
＜使い捨ておむつ１の基本構成＞
本実施形態の使い捨ておむつ１（以下、単におむつ１とも呼ぶ）は、主に新生児や乳幼児を着用対象とした低体重児用使い捨ておむつであり、体重が３０００ｇ以下の低体重児、特に体重が２５００ｇ未満の低出生体重児に好適に用いられる。なお、低体重児には、低出生体重児（体重２５００ｇ未満）だけでなく、極低出生体重児用（体重１５００ｇ未満）や超低出生体重児用（体重１０００ｇ未満）も含まれる。
【００３０】
図１は、おむつ１を展開かつ伸長させた状態について表す平面図である。図２Ａは、おむつ１の後部７の概略断面について表した分解説明図である。図２Ｂは、おむつ１の股下部５の概略断面について表した分解説明図である。なお、おむつ１を展開かつ伸長させた状態とは、おむつ１の展開状態において、おむつ１に生じていた皺が実質的に視認されなくなる程に伸長させた状態であり、おむつ１を構成する各部材（例えば後述するトップシート２２等）の寸法がその部材単体の寸法と一致又はそれに近い長さになるまでおむつ１が伸長した状態である。
【００３１】
本実施形態のおむつ１は、所謂オープンタイプの使い捨ておむつであり、図１に示すように、前部３と、股下部５と、後部７とを有する。前部３は、着用者の前部（腹側、前胴回り）に位置することになる部分である。また、後部７は、着用者の後部（背側、後胴回り）に位置することになる部分である。但し、前部３及び後部７は便宜上の定義であり、おむつ１は前部３と後部７とを入れ替えて使用（着用）することも可能である。すなわち、後部７が着用者の腹側に、前部３が着用者の背側に位置しても良い。股下部５は、前部３と後部７との間に位置することになる部分である。
【００３２】
以下の説明では、図１に示すように、各方向を定義する。すなわち、前部３から後部７に向かう方向を「長手方向」とし、長手方向と直交する方向を「幅方向」とする。図１に示されているＣＬは、長手方向におけるおむつ１の中心を示す線である。また、図２に示すように、長手方向及び幅方向と直交する方向を「厚さ方向」とし、着用者の肌の側を「肌側」とし、その逆側を「非肌側」とする。
【００３３】
おむつ１は、本体部１０と、ベルト部材３０とを有する。なお、図１では、ベルト部材３０が本体部１０に係止された状態について示されているが、ベルト部材３０は本体部１０に対して着脱可能である。
【００３４】
（本体部１０）
本体部１０は、着用者によって排泄された尿等の液体を吸収し保持する部位であり、図１に示されるように前部３、股下部５及び後部７によって構成された平面視略長方形状の形状である。本体部１０は、主に、吸収体２１、トップシート２２、防漏シート２３及びバックシート２４、及びサイドシート２６を有する（図２Ａ及び図２Ｂ参照）。
【００３５】
吸収体２１は、尿等の排泄物を吸収することが可能な液体吸収性素材を積層してなる吸収性コア２１ａを有し、前部３、股下部５及び後部７にわたって配置されている。図１の砂地で表示された領域は、吸収性コア２１ａの占める領域を示している。以下、本明細書中において、特に断りがない限り、吸収体２１と吸収性コア２１ａとは同義であるものとする。ただし、吸収性コア２１ａがコアラップシート２１ｂによって覆われることによって吸収体２１が構成されているのであっても良い。本実施形態の吸収体２１（吸収性コア２１ａ）は、長手方向に長い略長方形状を有する。但し、吸収体２１の形状は、図１に示す形状に限定されるものではなく、少なくとも股下部５に設けられていれば良い。
【００３６】
本実施形態の吸収体２１は、厚さ方向においてトップシート２２及び防漏シート２３に挟まれて配置されている。吸収性コア２１ａを構成する液体吸収性素材としては、例えばパルプ繊維等の液体吸収性繊維や、高吸収性ポリマー等の液体吸収性粒状物を使用することができる。また、液体吸収性繊維及び液体吸収性粒状物以外の液体吸収性素材を含んでいても良い。コアラップシート２１ｂを構成する部材としては、例えばティッシュペーパーや不織布を使用することができる。
【００３７】
トップシート２２は、吸収体２１の肌側に配置された液透過性の部材であり、例えば不織布によって形成されている。防漏シート２３は、吸収体２１の非肌側に配置された液不透過性の部材であり、例えば、樹脂製のフィルムシートによって形成されている。バックシート２４は、おむつ１の非肌側の外装を構成する部材（外装シート）であり、例えば不織布で構成されている。防漏シート２３の非肌側にはバックシート２４が配置されている（図２Ａ及び図２Ｂ参照）。
【００３８】
本体部１０のうち少なくとも股下部５には、サイドシート２６とバックシート２４（図２Ｂではトップシート２２）との間に、長手方向に伸縮可能な脚回り弾性部材２５（例えば糸ゴム）が設けられている（図２Ｂ参照）。脚回り弾性部材２５は、股下部５において本体部１０に伸縮性を付与する部材である。本実施形態では、長手方向に伸長させた状態で脚回り弾性部材２５が取り付けられており、図１の破線で示されている範囲において、脚回り弾性部材２５が長手方向に沿った伸縮性を発現する。おむつ１の着用時においては、股下部５が長手方向に沿って収縮することにより、本体部１０が着用者の身体に沿って丸みを帯びた形状に立体的に変形するとともに、本体部１０の幅方向両側部を収縮させ、着用者の脚繰りに沿ったレッグギャザーを形成させる。これにより、本体部１０が着用者の股間部を包み込むような形状で保持されるようになり、おむつ１のフィット感を向上する。また、着用者の脚繰りから排泄物がおむつ１の外部に漏れることを抑制しやすくなる。
【００３９】
サイドシート２６は、トップシート２２よりも厚さ方向の肌側かつ、吸収体２１の幅方向の両側に一対設けられた部材であり、例えば不織布によって形成されている。サイドシート２６は、幅方向の外側端部領域においてトップシート２２及びバックシート２４と厚さ方向に接合されている。また、図２Ａ及び図２Ｂに示されるように、サイドシート２６は、幅方向の内側端２６ｅｉにおいて内側から外側に折り返され、当該折り返された部分が厚さ方向に折り重ねられている。そして、折り重ねられたサイドシート２６，２６の厚さ方向の間には、長手方向に沿って伸縮可能なＬＳＧ弾性部材２７（例えば糸ゴム）が設けられている。ＬＳＧ弾性部材２７は、股下部５においてサイドシート２６に伸縮性を付与する部材である。本実施形態では、長手方向に伸長させた状態でＬＳＧ弾性部材２７が取り付けられており、ＬＳＧ弾性部材２７は長手方向に沿った収縮力を発現する。おむつ１の着用時においては、ＬＳＧ弾性部材２７が長手方向に沿って収縮することにより、サイドシート２６のうちトップシート２２（バックシート２４）と接合されていない部分が着用者の肌側に立ち上がり、該サイドシート２６が排泄物等の横漏れを抑制する一対の防漏壁として機能する。
【００４０】
（ベルト部材３０）
ベルト部材３０は、おむつ１の後部７（背側）において本体部１０の幅方向の両側部に一対配置されている。本実施形態のベルト部材３０は、図１に示されるように、おむつ１の幅方向に長い略長方形の帯部材であり、その長手方向（以下、ベルト長手方向とも呼ぶ）の両側にそれぞれ係止部材３１を備え、当該係止部材３１をおむつ１の外装シート（バックシート２４）に係止させることが可能である。係止部材３１は、厚さ方向に突出した複数のフックを有する部材であり、例えば面ファスナー等によって構成される。係止部材３１のフック（不図示）がおむつ１の外装シート（バックシート２４）を構成する不織布の表面の繊維に引っかかることにより、該係止部材３１を介してベルト部材３０が本体部１０（外装シート）に係止される。
【００４１】
上述のように、本実施形態のベルト部材３０はベルト長手方向の一方側（おむつ１の幅方向の内側）の端部及び他方側（おむつ１の幅方向の外側）の端部にそれぞれ係止部材３１を有している。したがって、ベルト部材３０はベルト長手方向のどちら側でもおむつ１の外装シート（バックシート２４）に係止させることができる。以下では、ベルト長手方向の一方側（図１では、おむつ１の幅方向の内側）に設けられている係止部材３１を内側係止部材３１Ａ、ベルト長手方向の他方側（図１では、おむつ１の幅方向の外側）に設けられている係止部材３１を外側係止部材３１Ｂとも呼ぶ。そして、図１及び図２に示されるように、ベルト部材３０が内側係止部材３１Ａによってバックシート２４（外装シート）の非肌側に係止されている状態のおむつ１について説明を行う。
【００４２】
おむつ１の着用時には、ベルト部材３０の外側係止部材３１Ｂを、本体部１０の前部３（腹側）においてバックシート２４（外装シート）の非肌側に係止させることにより、おむつ１の胴回り開口及び一対の脚回り開口が形成され、着用者の身体（胴）に対しておむつ１の位置を固定することができる（図３Ａ及び図３Ｂ参照）。なお、おむつ１の前部３において、バックシート２４の幅方向中央部かつ厚さ方向の非肌側の領域に、外側係止部材３１Ｂを係止させやすくするためのターゲットテープ（不図示）が設けられていても良い。また、おむつ１の着用時には、幅方向両側に設けられているベルト部材３０のうち一方側のベルト部材３０の非肌側面に、他方側のベルト部材３０の外側係止部材３１Ｂを係止させることによって胴回り開口が形成されるのであっても良い。
【００４３】
本実施形態の低体重児用のおむつ１の長手方向の製品長（製品を長手方向に皺なく伸長させた状態での寸法）は、１７０〜３３０ｍｍの範囲である。例えば、体重２５００ｇ未満の低出生体重児用のおむつ１の製品長は３１０ｍｍであり、体重１５００ｇ未満の極低出生体重児用のおむつ１の場合の製品長は２７０ｍｍであり、体重１０００ｇ未満の超低出生体重児用のおむつ１の場合の製品長は１７０ｍｍである。
【００４４】
また、本実施形態における低体重児用のおむつ１のウェスト寸法は、１６０〜２９５ｍｍの範囲である。なお、ウェスト寸法は、一方のベルト部材３０の幅方向外側端部を他方のベルト部材３０の幅方向内側端部に合わせた状態で、皺なく製品を伸ばした状態での寸法である。すなわち、製品を幅方向に伸長させた状態での寸法である。例えば、低出生体重児用のおむつ１のウェスト寸法は２７３．５ｍｍであり、体重１５００ｇ未満の極低出生体重児用のおむつ１の場合のウェスト寸法は２２０ｍｍである。
【００４５】
＜おむつ１の着用動作について＞
続いて、着用対象者である低体重児におむつ１を着用させる際の動作について説明する。図３Ａ及び図３Ｂは、おむつ１の着用状態について示す図である。
【００４６】
おむつ１のようなオープンタイプの使い捨ておむつを着用させる際には、まず、展開状態のおむつ１の後部７を着用対象者の背部に配置し、股下部５を股間部に、前部３を腹部にあてがう。そして、後部７（背側）において本体部１０の幅方向両側に係止されている一対のベルト部材３０を、着用者の胴回りに沿って背側から腹側に回しこむようにして、前部３（腹側）の非肌側に外側係止部材３１Ｂを係止させ、着用者の胴回りに固定する。これにより、図３Ａのように、着用対象者におむつ１を着用させることができる。逆に、おむつ１を脱がせる際には、着用時の動作とは逆に、前部３（腹側）においてバックシート２４（外装シート）に係止されている外側係止部材３１Ｂを剥がして、胴回りの固定を開放することにより、簡単におむつ１を取り外すことができる。
【００４７】
ところで、本実施形態のおむつ１が着用対象としている低体重児は、一般に、病院等において保育器の中で育成されている。そのため、低体重児のおむつを着脱させる際には、作業者（おむつを低体重児に着脱させる人）は、保育器に設けられた作業用の窓から手を通して、狭いスペース内で作業を行う必要がある。また、低体重児は、保育器内において、図３Ｂに示すように背中をＣ字型に丸くカーブさせ、脚をＭ字型に強く曲げた俯せの姿勢を保持している場合がある。この姿勢は、母体内での胎児の姿勢（胎児様屈曲姿勢）に近く、安静させやすい姿勢であり「ポジショニング姿勢」とも呼ばれる。そして、低体重児がポジショニング姿勢を取っている場合、外側係止部材３１Ｂは図３Ｂのように着用者（低体重児）の腹の下側で係止されている。
【００４８】
したがって、従来、保育器内でポジショニング姿勢を取っている低体重児のおむつを交換する作業を行う場合、作業者は、狭いスペース内で、低体重児の腹の下に手を入れてベルト部材３０の外側係止部材３１Ｂを剥がす必要があった。これに対して、本実施形態のおむつ１では、ベルト部材３０の内側係止部材３１Ａをバックシート２４（外装シート）から剥がすことができる。そのため、図３Ｂにおいて、作業者は低体重児の背側から内側係止部材３１Ａを簡単に剥がすことができる。これにより、低体重児に姿勢を変えさせる等の負担をかけることなく、おむつの交換を行うことができる。さらに、本実施形態のおむつ１は、前部３が背側、後部７が腹側となるように、前後を逆にして着用させることも可能であるため、低体重児がどのような姿勢で寝ていても、身体を動かさずにおむつ１の着脱動作を行いやすく、低体重児に好適である。
【００４９】
一方、おむつ１のようにベルト部材が幅方向（ベルト長手方向）両側の係止部材によって本体部に係止されている構造のおむつでは、本体部に係止されている係止部材が、着用動作時に意図せず剥がれてしまい、ベルト部材が本体部から離脱してしまう場合がある。図４Ａ及び図４Ｂは、比較例のおむつ１００を、低体重児に着用させる動作について説明する図である。比較例のおむつ１００は、本実施形態のおむつ１と略同様の構成を有しているが、ベルト部材３０の係止位置が異なる。また、おむつ１００において、ベルト部材３０は面ファスナー等の内側係止部材３１Ａによって外装シート（バックシート２４）に係止されているだけであり、ベルト部材３０（内側係止部材３１Ａ）は外装シートから簡単に剥がすことが可能である。
【００５０】
図４Ａは、マット上に仰向けに寝ている低体重児におむつ１００を着用させる動作を、横方向から見た場合について表している。まず、低体重児の背部におむつ１００の後部７を配置する動作が行われる。具体的には、展開した状態のおむつ１００の後部７を低体重児の股下側から、低体重児の身体とマットとの間に挿入する動作が行われる。このとき、低体重児への身体的負担を少なくするため、低体重児の身体を持ち上げるのではなく、おむつ１００をマット側（すなわち鉛直下側）に押し込みながら、おむつ１００の後部７が低体重児の背部とマットとの間に挿入される。
【００５１】
おむつ１００がマット側に押し込まれることにより、ベルト部材３０とマットとの間に摩擦力が作用しやすくなり、長手方向において内側係止部材３１Ａの外側端３１Ａｌｅｏが図４Ｂのように捲れて、捲れた部分がバックシート２４（外装シート）から剥がれてしまう場合がある。そして、内側係止部材３１Ａのうち外装シートから剥がれて捲れた部分（外側端３１Ａｌｅｏを含む部分）は、図４Ｂのようにマットと係合する。この状態で、おむつ１００が低体重児の背部にさらに挿入されると、内側係止部材３１Ａの全体がバックシート２４から剥がれ、ベルト部材３０が本体部１０から完全に離脱してしまうおそれがある。ベルト部材３０が離脱した場合、係止部材３１を本体部１０（バックシート２４）に再度係止させて図４Ａの動作からやり直す必要が生じ、低体重児の身体に負担がかかってしまう。
【００５２】
＜ベルト部材３０の配置について＞
これに対して、本実施形態のおむつ１では、ベルト部材３０が係止される位置を適切に調整することにより、おむつ１の着用動作時に、ベルト部材３０が本体部１０から離脱してしまうことを抑制することができる。図５は、本実施形態のおむつ１を、低体重児に着用させる動作について説明する図である。同図５は、比較例のおむつ１００の着用動作について説明した図４Ｂに対応する図である。
【００５３】
仰向けの姿勢で寝ている低体重児におむつ１を着用させる場合、図４で説明したのと同様に、展開した状態のおむつ１の後部７が、低体重児の股下側から低体重児の身体とマットとの間に挿入される。このとき、おむつ１では、長手方向において、バックシート２４（外装シート）の外側端部が所定の折れ曲がり位置ＦＬにて厚さ方向の非肌側に折れ曲がる。そして、折れ曲がった部分２４Ｆが、内側係止部材３１Ａの外側端部に非肌側に折り重なる。すなわち、図５に示されるように、内側係止部材３１Ａの長手方向の外側端３１Ａｌｅｏが、バックシート２４（外装シート）の折れ曲がった部分２４Ｆによって非肌側から覆われた状態となる。これにより、内側係止部材３１Ａの外側端３１Ａｌｅｏとマットとの間に摩擦力が作用しなくなり、外側端３１Ａｌｅｏがバックシート２４（外装シート）から剥がれてしまうことが抑制される。したがって、ベルト部材３０が本体部１０（バックシート２４）から離脱しにくくなる。
【００５４】
なお、図５では、バックシート２４と共にトップシート２２も折れ曲がり位置ＦＬにて折れ曲がり、外側端３１Ａｌｅｏの非肌側に折り重なっているが、本体部１０を構成している複数の部材（例えば、トップシート２２，防漏シート２３，及びバックシート２４）のうち、何れかの部材が外側端３１Ａｌｅｏの非肌側を覆うように折れ曲がれば良い。以下では、少なくともバックシート２４（外装シート）の長手方向外側端部が折れ曲がり位置ＦＬにて折れ曲がるものとして説明を行う。
【００５５】
図６は、おむつ１の後部７におけるベルト部材３０の配置について説明する平面図である。同図６では、図１の幅方向右側に配置されているベルト部材３０の内側係止部材３１Ａを中心として、吸収体２１やバックシート２４（外装シート）との位置関係について表している。図７は、バックシート２４の長手方向外側端部が折れ曲がった状態について説明する図である。
【００５６】
図６に示されるように、長手方向において、バックシート２４（外装シート）の外側端２４ｌｅｏと、内側係止部材３１Ａの外側端３１Ａｌｅｏとの中間の位置を中間位置ＭＬとする。また、長手方向における外側端２４ｌｅｏと、外側端３１Ａｌｅｏとの間の距離をＬＹとする。本実施形態のおむつ１では、長手方向において、吸収体２１の外側端２１ｌｅｏが中間位置ＭＬよりも内側となるように、ベルト部材３０が配置（係止）されている。
【００５７】
図６の状態のおむつ１を低体重児に着用させる動作を行うと、図５で説明したように、バックシート２４（外装シート）の長手方向外側端部が、所定の折れ曲がり位置ＦＬにて非肌側に折れ曲がる。そして、折れ曲がった部分２４Ｆによって、内側係止部材３１Ａの外側端３１Ａｌｅｏが非肌側から覆われた状態となり、内側係止部材３１Ａがバックシート２４から剥がれ難くなる。
【００５８】
ここで、バックシート２４の折れ曲がった部分２４Ｆが、長手方向において内側係止部材３１Ａの外側端３１Ａｌｅｏの非肌側に重なるためには、折れ曲がり位置ＦＬが、長手方向において中間位置ＭＬよりも内側にあることが必要である。言い換えると、バックシート２４は、長手方向において中間位置ＭＬよりも内側で折れ曲がる必要がある。
【００５９】
仮に、バックシート２４が、中間位置ＭＬで折れ曲がった場合（つまり、中間位置ＭＬと折れ曲がり位置ＦＬが同じ場合）、折れ曲がった後のバックシート２４の外側端２４ｌｅｏが、長手方向において、係止部材３１Ａの外側端３１Ａｌｅｏと同じ位置になる。すなわち、バックシート２４が折れ曲がった部分２４Ｆの長手方向における長さＬ２４Ｆが、バックシート２４の外側端２４ｌｅｏと係止部材３１Ａの外側端３１Ａｌｅｏとの間の長手方向における距離ＬＹの１／２と等しくなる。これに対して、折れ曲がり位置ＦＬが、長手方向において中間位置ＭＬよりも内側であれば、バックシート２４が折れ曲がった部分２４Ｆの長手方向における長さＬ２４Ｆが距離ＬＹの１／２よりも長くなり、折れ曲がった部分２４Ｆが外側端３１Ａｌｅｏと必ず重複するようになる。
【００６０】
図７では、バックシート２４が折れ曲がる「折れ曲がり位置ＦＬ」が、吸収体２１（吸収性コア２１ａ）の長手方向の外側端２１ｌｅоの位置となる。吸収性コア２１ａは、パルプ繊維等の液体吸収性素材が厚さ方向に重なり合うことで構成されているため、バックシート２４やトップシート２２（すなわち不織布）と比較して剛性が高くなっている。そのため、本体部１０は、長手方向において、吸収体２１（吸収性コア２１ａ）の外側端２１ｌｅоを境界として剛性差が大きく変化し、剛性差が大きい外側端２１ｌｅоにおいてバックシート２４が折れ曲がりやすくなるからである。
【００６１】
したがって、本実施形態のおむつ１では、折れ曲がり位置ＦＬ（つまり外側端２１ｌｅоの位置）が、長手方向において中間位置ＭＬよりも内側となる。これにより、バックシート２４の折れ曲がった部分２４Ｆが、内側係止部材３１Ａの外側端３１Ａｌｅｏを非肌側から覆うようになり、おむつ１を着用させる際に、内側係止部材３１Ａが剥がれ難くなり、ベルト部材３０が本体部１０から離脱することが抑制される。
【００６２】
図８は、従来の使い捨ておむつ（例えば上述した比較例のおむつ１００等も含む）において、ベルト部材３０の係止位置が不適当である場合に、バックシート２４の長手方向外側端部が折れ曲がった状態について説明する図である。図８では、長手方向において、中間位置ＭＬよりも、吸収体２１の外側端２１ｌｅоが外側になるように、ベルト部材３０（内側係止部材３１Ａ）が配置されている。この場合、バックシート２４が折れ曲がった部分２４Ｆの長手方向における長さＬ２４Ｆが、距離ＬＹの１／２よりも短くなり、折れ曲がった部分２４Ｆが長手方向において外側端３１Ａｌｅｏと重複しなくなる。したがって、着用対象者におむつを着用させる動作において、図４Ｂで説明した場合と同様に、外側端３１Ａｌｅｏがバックシート２４（外装シート）から剥がれやすくなり、ベルト部材３０が本体部１０から離脱してしまうおそれがある。これに対して、本実施形態のおむつ１によれば、バックシート２４が折れ曲がる際に、図８のような状態にはならないため、ベルト部材３０が離脱してしまうのを効果的に抑制することができる。
【００６３】
なお、図７では、吸収体２１の外側端２１ｌｅоが、長手方向において、中間位置ＭＬと係止部材３１Ａの外側端３１Ａｌｅｏとの間の領域に位置する場合について表している。すなわち、吸収体２１の外側端２１ｌｅоが、長手方向において、中間位置ＭＬよりも内側、かつ、係止部材３１Ａの外側端３１Ａｌｅｏよりも外側に位置していることにより、バックシート２４が、吸収体２１（吸収性コア２１ａ）の外側端２１ｌｅо（折れ曲がり位置ＦＬ）にて折れ曲がっていた。一方、吸収体２１の外側端２１ｌｅоが、長手方向において、中間位置ＭＬよりも内側、かつ、外側端３１Ａｌｅｏよりも内側に位置していても良い。
【００６４】
図９は、長手方向において、係止部材３１Ａの外側端３１Ａｌｅｏが、吸収体２１の外側端２１ｌｅоよりも外側にある場合のバックシート２４の折れ曲がり状態について説明する図である。図９の場合、バックシート２４の折れ曲がり位置ＦＬは、長手方向における吸収体２１の外側端２１ｌｅоの位置ではなく、内側係止部材３１Ａの外側端３１Ａｌｅｏの位置となる。係止部材３１は、フック等を備えた面ファスナーであり剛性が高いため、長手方向において外側端３１Ａｌｅｏの位置で剛性差が大きくなっている。そのため、長手方向において係止部材３１Ａの外側端３１Ａｌｅｏの位置に折れ曲がり位置ＦＬが形成され、当該折れ曲がり位置ＦＬにてバックシート２４（外装シート）が折れ曲がるようになる。この場合にも、内側係止部材３１Ａの外側端３１Ａｌｅｏの非肌側が、バックシート２４の折れ曲がった部分２４Ｆによって覆われるため、おむつ１を着用させる際に、内側係止部材３１Ａが剥がれ難くなり、ベルト部材３０が本体部１０から離脱することが抑制される。
【００６５】
また、上述したように、おむつ１の吸収体２１は、吸収性コア２１ａを内側に包み込むコアラップシート２１ｂを有している場合がある。そして、長手方向において、コアラップシート２１ｂの外側端２１ｂｌｅоが、吸収性コア２１ａの外側端２１ｌｅоよりも外側に位置している場合がある。図１０は、吸収体２１がコアラップシート２１ｂを有している場合のバックシート２４の折れ曲がり状態について説明する図である。
【００６６】
図１０の場合、長手方向において、コアラップシート２１ｂの外側端２１ｂｌｅоの位置で剛性差が大きくなるため、バックシート２４の折れ曲がり位置ＦＬが、外側端２１ｂｌｅоに形成される。したがって、長手方向において、コアラップシート２１ｂの外側端２１ｂｌｅоが中間位置ＭＬよりも内側であれば、上述の場合と同様に、内側係止部材３１Ａの外側端３１Ａｌｅｏの非肌側が、バックシート２４の折れ曲がった部分２４Ｆによって覆われる。これにより、おむつ１を着用させる際に、内側係止部材３１Ａが剥がれ難くなり、ベルト部材３０が本体部１０から離脱することを抑制できる。但し、コアラップシート２１ｂの長手方向外側端２１ｂｌｅоの外側と内側とで剛性差が小さい場合には、上述の通り、吸収性コア２１ａ（吸収体２１）の長手方向外側端２１ｌｅоに折れ曲がり位置ＦＬが形成される。
【００６７】
また、長手方向において、内側係止部材３１Ａは、脚回り弾性部材２５が長手方向に沿った伸縮性を発現している領域（図１において破線で示されている範囲）と重複していない。そのため、内側係止部材３１Ａが係止されている領域では、脚回り弾性部材２５による収縮力がバックシート２４に作用し難く、該バックシート２４が撓んだり皺が生じたりすることが抑制される。したがって、当該領域では、内側係止部材３１Ａをバックシート２４にしっかりと係止させることができる。これにより、ベルト部材３０が本体部１０から離脱することをより抑制しやすくなる。
【００６８】
また、図６に示されるように、内側係止部材３１Ａは、幅方向において吸収体２１の外側端２１ｗｅｏと重複しないように配置されている。一般に、吸収体２１（吸収性コア２１ａ）は、吸収性素材が厚さ方向に重ねられることにより、所定の厚みを有して形成されている。したがって、吸収体２１の幅方向外側端２１ｗｅｏでは、厚さ方向に段差が生じている。仮に、内側係止部材３１Ａが吸収体２１の幅方向外側端２１ｗｅｏと重複していた場合、厚さ方向に段差が生じている部分において係止が剥がれやすくなるおそれがある。これに対して、本実施形態では、内側係止部材３１Ａの全体が幅方向において吸収体２１の外側端２１ｗｅｏを跨がないように配置されているため、段差部において係止が剥がれやすくなる等の問題は生じ難い。
【００６９】
さらに、内側係止部材３１Ａは、幅方向において吸収体２１の外側端２１ｗｅｏよりも外側に配置されている。すなわち、幅方向において、内側係止部材３１Ａの内側端３１Ａｗｅｉは、吸収体２１の外側端２１ｗｅｏよりも外側に位置しており、内側係止部材３１Ａは、幅方向において吸収体２１と重複しない位置に係止されている。仮に、内側係止部材３１Ａが吸収体２１と重複する位置に係止されていた場合、図４のように低体重児の身体とマットとの間におむつ１の後部７を敷きこむ際に、吸収体２１とマットとの間に内側係止部材３１Ａが挟まれることになるため、剛性の高い吸収体２１によって該内側係止部材３１がマット側に強く押し付けられ、内側係止部材３１Ａの非肌側面に大きな摩擦力が作用する。この場合、図４Ｂのように内側係止部材３１Ａがバックシート２４（外装シート）から剥がれやすくなり、ベルト部材３０が離脱してしまうおそれがある。これに対して、本実施形態では、幅方向において内側係止部材３１Ａと吸収体２１とが重複していないため、おむつ１の着用動作時に吸収体２１によって内側係止部材３１Ａがマット側に押し付けられることが抑制される。したがって、内側係止部材３１Ａがバックシート２４（外装シート）から剥がれてしまうことを抑制しやすくなる。
【００７０】
また、おむつ１では、ベルト部材３０及び係止部材３１（内側係止部材３１Ａ）の合計の厚さｔ３０が、吸収体２１の厚さｔ２１よりも薄くなっている。図１１は、おむつ１の各部の厚さについて説明する概略断面図である。同図１１では、図４の場合と同様に低体重児におむつ１を着用させる際に、低体重児の身体とマットとの間におむつ１の後部７を敷きこむ動作について表している。図１１に示されるように、おむつ１を着用させる際には、低体重児の身体とマットとの間に、少なくとも吸収体２１の厚さｔ２１に相当する隙間（厚さ方向の間隔）が形成される。したがって、ベルト部材３０及び係止部材３１の合計の厚さｔ３０が、吸収体２１の厚さｔ２１よりも薄ければ（ｔ３０＜ｔ２１）、ベルト部材３０及び係止部材３１は、低体重児の身体とマットとの間の隙間に収まるため、ベルト部材３０はマットと接触しにくくなる。したがって、ベルト部材３０とマットとの間に摩擦が生じ難くなり、図４Ｂのように係止部材３１が外装シートから剥がれてしまうことを抑制しやすくなる。これにより、ベルト部材３０が離脱することを抑制できる。
【００７１】
また、図１のように展開かつ伸長状態のおむつ１の幅方向において、最も外側に配置されている脚回り弾性部材２５とバックシート２４（外装シート）の外側端２４ｗｅоとの間の距離Ｗ２５は、係止部材３１（内側係止部材３１Ａ）の幅Ｗ３１Ａよりも狭くなっている。そして、幅方向において、内側係止部材３１Ａの内側端３１Ａｗｅｉが、最も外側に配置されている脚回り弾性部材２５よりも内側に位置するように、内側係止部材３１Ａがバックシート２４（外装シート）に係止されている。仮に、内側係止部材３１Ａの内側端３１Ａｗｅｉが、最も外側に配置されている脚回り弾性部材２５よりも幅方向の外側に位置するように係止されていた場合、内側係止部材３１Ａの幅方向の外側端３１Ａｗｅоがバックシート２４（外装シート）の外側端２４ｗｅоよりも幅方向の外側に位置することとなる。すなわち、内側係止部材３１Ａの一部が、バックシート２４（外装シート）の幅方向外側端２４ｗｅоからはみ出してしまう。すると、はみ出した内側係止部材３１Ａの一部が着用者たる低体重児の肌と接触し、低体重児に不快感を与えるおそれがある。そこで、本実施形態では、内側係止部材３１Ａと脚回り弾性部材２５との位置関係を調整することにより、内側係止部材３１Ａがバックシート２４（外装シート）の幅方向外側端２４ｗｅоよりも外側にはみ出しにくくなるようにしている。これにより、内側係止部材３１Ａが低体重児の肌と接触しにくくなる。
【００７２】
また、図１のように展開かつ伸長状態のおむつ１の幅方向において、内側係止部材３１ＡはＬＳＧ弾性部材２７よりも外側に位置している。すなわち、幅方向において、内側係止部材３１Ａの内側端３１Ａｗｅｉが、ＬＳＧ弾性部材２７よりも外側に位置している。仮に、内側係止部材３１ＡがＬＳＧ弾性部材２７よりも幅方向の内側でバックシート２４に係止されていた場合、図３のようにしておむつ１を低体重児に着用させる際に、ベルト部材３０の長手方向の長さが足りなくなり、低体重児の腹部において外側係止部材３１Ｂをバックシート２４（外装シート）に係止させることができなくなるおそれがある。そこで、本実施形態では、内側係止部材３１Ａの係止位置が幅方向の内側に寄りすぎないようにすることで、おむつ１の着用時に、外側係止部材３１Ｂをバックシート２４（外装シート）にしっかりと係止させることができるようにしている。
【００７３】
＜おむつの変形例＞
上述の実施形態では、おむつ１の本体部１０が図１のような略長方形状を有している例について説明したが、おむつ１の構成を以下のように変形しても良い。図１２は、おむつ１の変形例として、展開かつ伸長させた状態のおむつ２について表す平面図である。図１３は、おむつ２の後部７の分解説明図である。
【００７４】
おむつ２の本体部１０は、中央帯状領域１２と、サイドフラップ１４とを有する。中央帯状領域１２は、前部３、股下部５及び後部７によって構成された幅方向の中央部に位置する帯状の領域であり、おむつ１における本体部１０に相当する領域である。中央帯状領域１２は、主に、吸収体２１、トップシート２２、防漏シート２３及びバックシート２４（外装シート）を有する。
【００７５】
サイドフラップ１４は、中央帯状領域１２の幅方向の両側部に位置する部位である。サイドフラップ１４は、前部３、股下部５及び後部７にわたって形成されている。股下部５におけるサイドフラップ１４の幅方向の長さ（幅）は、前部３及び後部７におけるサイドフラップ１４の幅方向の長さ（幅）よりも狭い。サイドフラップ１４は、主に、サイドシート２６とバックシート２４から構成されている（図２参照）。
【００７６】
一対のサイドフラップ１４には、長手方向に沿って伸縮するサイドフラップ弾性部材１５がそれぞれ設けられている。サイドフラップ弾性部材１５は、長手方向に沿って伸縮する糸ゴム等の弾性部材であり、おむつ２の着用時において、脚回り開口部に伸縮性を付与する部材である。すなわち、サイドフラップ弾性部材１５はおむつ２の脚繰り部を着用者の脚に合わせてフィットさせる脚回り弾性部材である。また、サイドフラップ弾性部材１５が股下部５のサイドシート２６及びバックシート２４に伸縮性を付与することによって、レッグギャザーが構成される。
【００７７】
おむつ２のベルト部材３０は、おむつ２の後部７においてサイドフラップ１４の幅方向の両側部に配置されている（図１２参照）。ベルト部材３０の構成は、おむつ１と同様であり、ベルト部材３０の長手方向（ベルト長手方向）の両側に面ファスナー等からなる係止部材３１（３１Ａ，３１Ｂ）を備え、おむつ２の幅方向内側（ベルト長手方向の一方側）に配置された内側係止部材３１Ａによって、サイドフラップ１４の非肌側、すなわちバックシート２４（外装シート）に係止されている。
【００７８】
ベルト部材３０の配置（内側係止部材３１Ａの係止位置）は、上述のおむつ１と同様である。すなわち、長手方向において、バックシート２４（外装シート）の外側端２４ｌｅｏと、内側係止部材３１Ａの外側端３１Ａｌｅｏとの中間の位置を中間位置ＭＬ、長手方向における外側端２４ｌｅｏと、外側端３１Ａｌｅｏとの間の距離をＬＹとしたとき、長手方向において、吸収体２１の外側端２１ｌｅｏが中間位置ＭＬよりも内側となるように、ベルト部材３０が配置（係止）されている。これにより、おむつ２を着用させる際に、バックシート２４の一部が折れ曲がり（２４Ｆ）、内側係止部材３１Ａの外側端３１Ａｌｅｏを非肌側から覆うことで、内側係止部材３１Ａが外装シートから剥がれ難くなり、ベルト部材３０が本体部１０から離脱することが抑制される。
【００７９】
＝＝＝その他＝＝＝
上記の実施形態は、本発明の理解を容易にするためのものであり、本発明を限定して解釈するためのものではない。本発明は、その趣旨を逸脱することなく、変更・改良され得ると共に、本発明には、その等価物が含まれることは言うまでもない。
【符号の説明】
【００８０】
１  使い捨ておむつ（おむつ）、
２  使い捨ておむつ（おむつ）、
３  前部、５  股下部、７  後部、
１０  本体部、
１２  中央帯状領域、
１４  サイドフラップ、
１５  サイドフラップ弾性部材、
２１  吸収体、２１ｌｅｏ  外側端（長手方向）、２１ｗｅｏ  外側端（幅方向）、
２１ａ  吸収性コア、２１ｂ  コアラップシート、２１ｂｌｅｏ  外側端（長手方向）、
２２  トップシート、２３  防漏シート、
２４  バックシート（外装シート）、２４ｌｅｏ  外側端（長手方向）、２４Ｆ  部分、
２５  脚回り弾性部材、
２６  サイドシート、
２７  ＬＳＧ弾性部材、
３０  ベルト部材、
３１  係止部材、
３１Ａ  内側係止部材、３１Ａｌｅｏ  外側端（長手方向）、
３１Ａｗｅｉ  内側端（幅方向）、３１Ａｗｅｏ  外側端（幅方向）、
３１Ｂ  外側係止部材、
１００  使い捨ておむつ（比較例）
【図１】
2019150114.tif 000003
【図２】
2019150114.tif 000004
【図３】
2019150114.tif 000005
【図４】
2019150114.tif 000006
【図５】
2019150114.tif 000007
【図６】
2019150114.tif 000008
【図７】
2019150114.tif 000009
【図８】
2019150114.tif 000010
【図９】
2019150114.tif 000011
【図１０】
2019150114.tif 000012
【図１１】
2019150114.tif 000013
【図１２】
2019150114.tif 000014
【図１３】
2019150114.tif 000015
【手続補正書】
【提出日】令和1年7月10日(2019.7.10)
【手続補正１】
【補正対象書類名】特許請求の範囲
【補正対象項目名】全文
【補正方法】変更
【補正の内容】
【特許請求の範囲】
【請求項１】
互いに交差する長手方向と幅方向と厚さ方向とを有し、
少なくとも吸収性コアを備えた吸収体と、
前記吸収体よりも非肌側に配された外装シートと、
一対のベルト部材と、
を有する低体重児用おむつであって、
前記ベルト部材は、当該ベルト部材の長手方向の一方側及び他方側に係止部材を備えており、
前記一方側の前記係止部材によって、前記ベルト部材が、前記長手方向における前記外装シートの外側端よりも内側、かつ、前記厚さ方向における前記外装シートの非肌側に係止された状態において、
前記長手方向において、
前記吸収性コアの外側端は、
前記外装シートの外側端と前記一方側の前記係止部材の外側端との中間よりも内側、かつ、前記係止部材の外側端よりも外側に位置している、
ことを特徴とする低体重児用おむつ。
【請求項２】
請求項１に記載の低体重児用おむつであって、
前記吸収体は、前記吸収性コアを覆うコアラップシートを有し、
前記長手方向において、前記コアラップシートの外側端は、前記外装シートの外側端と前記一方側の前記係止部材の外側端との中間よりも内側に位置している、ことを特徴とする低体重児用おむつ。
【請求項３】
請求項１または２に記載の低体重児用おむつであって、
前記長手方向において、前記外装シートの外側端と前記一方側の前記係止部材の外側端との中間位置と、前記一方側の前記係止部材の外側端との間に、
前記吸収性コアの外側端が位置している、ことを特徴とする低体重児用おむつ。
【請求項４】
請求項１〜３のいずれか１項に記載の低体重児用おむつであって、
前記長手方向に伸縮可能な脚回り弾性部材を有し、
前記長手方向において、前記脚回り弾性部材が伸縮性を発現している領域と、前記一方側の前記係止部材とが重複していない、ことを特徴とする低体重児用おむつ。
【請求項５】
請求項１〜４のいずれか１項に記載の低体重児用おむつであって、
前記幅方向において、前記吸収体の外側端と、前記一方側の前記係止部材とが重複していない、ことを特徴とする低体重児用おむつ。
【請求項６】
請求項５に記載の低体重児用おむつであって、
前記幅方向において、前記一方側の前記係止部材の内側端は、前記吸収体の外側端よりも外側に位置している、ことを特徴とする低体重児用おむつ。
【請求項７】
請求項１〜６のいずれか１項に記載の低体重児用おむつであって、
前記ベルト部材の厚さと前記一方側の前記係止部材の厚さとの合計は、
前記吸収体の厚さよりも薄い、ことを特徴とする低体重児用おむつ。
【請求項８】
請求項１〜７のいずれか１項に記載の低体重児用おむつであって、
前記長手方向に伸縮可能な脚回り弾性部材を有し、
前記幅方向において、
最も外側に配置されている前記脚回り弾性部材と、前記外装シートの外側端との間の距離は、
前記一方側の前記係止部材の幅よりも狭く、
前記幅方向において、前記一方側の前記係止部材の内側端が、最も外側に配置されている前記脚回り弾性部材よりも内側にある、ことを特徴とする低体重児用おむつ。
【請求項９】
請求項１〜８のいずれか１項に記載の低体重児用おむつであって、
前記吸収体の前記幅方向の両側に一対の防漏壁を備え、
前記防漏壁は、前記長手方向に伸縮可能なＬＳＧ弾性部材を有しており、
低体重児用おむつを展開かつ伸長させた状態において、
前記一方側の前記係止部材は、前記ＬＳＧ弾性部材よりも幅方向の外側にある、ことを特徴とする低体重児用おむつ。
【手続補正２】
【補正対象書類名】明細書
【補正対象項目名】０００５
【補正方法】変更
【補正の内容】
【０００５】
上記目的を達成するための主たる発明は、
互いに交差する長手方向と幅方向と厚さ方向とを有し、少なくとも吸収性コアを備えた吸収体と、前記吸収体よりも非肌側に配された外装シートと、一対のベルト部材と、を有する低体重児用おむつであって、前記ベルト部材は、当該ベルト部材の長手方向の一方側及び他方側に係止部材を備えており、前記一方側の前記係止部材によって、前記ベルト部材が、前記長手方向における前記外装シートの外側端よりも内側、かつ、前記厚さ方向における前記外装シートの非肌側に係止された状態において、前記長手方向において、前記吸収性コアの外側端は、前記外装シートの外側端と前記一方側の前記係止部材の外側端との中間よりも内側、かつ、前記係止部材の外側端よりも外側に位置している、ことを特徴とする低体重児用おむつである。